【手続補正書】
【提出日】平成15年8月29日(2003.8.29)
【手続補正１】
【補正対象書類名】明細書
【補正対象項目名】特許請求の範囲
【補正方法】変更
【補正の内容】
【特許請求の範囲】
【請求項１】
基板に画像信号が供給される複数のデータ線と、走査信号が供給される複数の走査線と、前記各データ線及び前記各走査線に対応して設けられた第１スイッチング手段と、前記第１スイッチング手段に対応して設けられた画素電極とを備えた電気光学装置であって、
画像信号線に供給された前記画像信号をサンプリングして前記データ線に供給するための第２スイッチング手段を有するサンプリング回路と、
前記データ線に前記画像信号を供給するためのサンプリング期間に先だってプリチャージ信号線に供給されたプリチャージ信号をプリチャージ回路駆動信号線に供給されたプリチャージ回路駆動信号に基づいて前記データ線に供給するための第３スイッチング手段を有するプリチャージ回路とを具備し、
前記プリチャージ信号線は、前記複数のデータ線の配列方向の両側から前記プリチャージ回路に接続されるように前記基板に引き回されていることを特徴とする電気光学装置。
【請求項２】
前記プリチャージ信号線は、異なる信号供給接点に夫々接続されていることを特徴とする請求項１に記載の電気光学装置。
【請求項３】
前記プリチャージ信号線は、前記複数のデータ線の配列方向の一方側に引き回されるプリチャージ信号線に前記信号供給接点の一方に接続され、前記複数のデータ線の配列方向の他方側に引き回されるプリチャージ信号線に前記信号供給接点の他方に接続されることを特徴とする請求項２に記載の電気光学装置。
【請求項４】
前記プリチャージ信号線は、前記データ線と同様に低抵抗な金属膜あるいは金属合金膜で、かつ前記データ線と同一工程で形成されることを特徴とする請求項１乃至請求項３の何れか一項に記載の電気光学装置。
【請求項５】
前記プリチャージ回路駆動信号線は、前記複数のデータ線の配列方向の両側から前記プリチャージ回路に接続されるように前記基板に引き回されていることを特徴とする請求項１乃至請求項４の何れか一項に記載の電気光学装置。
【請求項６】
基板に画像信号が供給される複数のデータ線と、走査信号が供給される複数の走査線と、前記各データ線及び前記各走査線に対応して設けられた第１スイッチング手段と、前記第１スイッチング手段に対応して設けられた画素電極とを備えた電気光学装置であって、
画像信号線に供給された前記画像信号をサンプリングして前記データ線に供給するための第２スイッチング手段を有するサンプリング回路と、
前記データ線に前記画像信号を供給するためのサンプリング期間に先だってプリチャージ信号をプリチャージ回路駆動信号線に供給されたプリチャージ回路駆動信号に基づいて前記データ線に供給するための第３スイッチング手段を有するプリチャージ回路とを具備し、
前記プリチャージ回路駆動信号線は、前記複数のデータ線の配列方向の両側から前記プリチャージ回路に接続されるように前記基板に引き回されていることを特徴とする電気光学装置。
【請求項７】
前記プリチャージ回路駆動信号線は、異なる信号供給接点に夫々接続されていることを特徴とする請求項６に記載の電気光学装置。
【請求項８】
前記プリチャージ回路駆動信号線は、前記複数のデータ線の配列方向の一方側に引き回されるプリチャージ回路駆動信号線に前記信号供給接点の一方に接続され、前記複数のデータ線の配列方向の他方側に引き回されるプリチャージ回路駆動信号線に前記信号供給接点の他方に接続されることを特徴とする請求項７に記載の電気光学装置。
【請求項９】
前記プリチャージ回路駆動信号線は、前記データ線と同様に低抵抗な金属膜あるいは金属合金膜で、かつ前記データ線と同一工程で形成されることを特徴とする請求項６乃至請求項８の何れか一項に記載の電気光学装置。
【請求項１０】
前記サンプリング回路の前記第２スイッチング手段を前記データ線の配列方向または逆方向に順次駆動するための双方向シフトレジスタを有するデータ線駆動回路を更に備えたこと特徴とする請求項１乃至請求項９の何れか一項に記載の電気光学装置。
【請求項１１】
前記プリチャージ回路は、前記データ線を順次駆動するデータ線駆動回路及びサンプリング回路と共に前記データ線の同じ側に設置され、前記プリチャージ回路駆動信号線には、前記第２スイッチング手段の導通タイミングに先行して前記第３スイッチング手段を導通させるプリチャージ回路駆動信号が供給されることを特徴とする請求項１乃至請求項９の何れか一項に記載の電気光学装置。
【請求項１２】
前記サンプリング回路の前記第２スイッチング手段を、前記データ線の配列方向まはた逆方向に順次駆動する双方向シフトレジスタと、前記プリチャージ回路の前記第３スイッチング手段を前記データ線の配列方向または逆方向に順次駆動する双方向シフトレジスタとを有するデータ線駆動回路を含むことを特徴とする請求項１乃至請求項９の何れか一項に記載の電気光学装置。
【請求項１３】
前記プリチャージ回路は、前記データ線を介して前記データ線駆動回路及びサンプリング回路の反対側に設置され、前記プリチャージ回路駆動信号線には、水平帰線期間に一括して前記第３スイッチング素子を導通させるプリチャージ回路駆動信号が供給されることを特徴とする請求項１乃至請求項１０の何れか一項に記載の電気光学装置。
【請求項１４】
請求項１乃至請求項１３の何れか一項に記載の電気光学装置を備えたことを特徴とする電子機器。
【手続補正２】
【補正対象書類名】明細書
【補正対象項目名】００１２
【補正方法】変更
【補正の内容】
【００１２】
【課題を解決するための手段】
本発明の電気光学装置は前記課題を解決するために、基板に画像信号が供給される複数のデータ線と、走査信号が供給される複数の走査線と、前記各データ線及び前記各走査線に対応して設けられた第１スイッチング手段と、前記第１スイッチング手段に対応して設けられた画素電極とを備えた電気光学装置であって、画像信号線に供給された前記画像信号をサンプリングして前記データ線に供給するための第２スイッチング手段を有するサンプリング回路と、前記データ線に前記画像信号を供給するためのサンプリング期間に先だってプリチャージ信号線に供給されたプリチャージ信号をプリチャージ回路駆動信号線に供給されたプリチャージ回路駆動信号に基づいて前記データ線に供給するための第３スイッチング手段を有するプリチャージ回路とを具備し、前記プリチャージ信号線は、前記複数のデータ線の配列方向の両側から前記プリチャージ回路に接続されるように前記基板に引き回されていることを特徴とする。


【手続補正３】
【補正対象書類名】明細書
【補正対象項目名】００１３
【補正方法】変更
【補正の内容】
【００１３】
本発明の電気光学装置によれば、先ず第３スイッチング手段が夫々導通状態になると、プリチャージ回路により、プリチャージ信号は、画像信号に先行して複数のデータ線に夫々供給される。そして、各データ線にプリチャージ信号としての電荷が供給されると、その電荷量に応じた分だけ、その後当該データ線を介して画素電極に供給される画像信号の電荷量は少なくて済む。特に１水平走査期間ごとに画像信号の極性（信号の位相）を反転させる駆動方式のように、各画素に対して電圧極性を反転させて画像信号を供給する場合には、このようなプリチャージ信号の供給による画像信号に必要な電荷量の減少は顕著となる。次に、複数の第１スイッチング手段は、例えばそのゲート電極に入力される走査信号に応じて、データ線と画素電極との間（例えば、ソース・ドレイン間）における導通状態及び非導通状態を夫々制御する。そして、この第１スイッチング手段が、例えば走査信号が供給された際にこの間を導通状態とすると、サンプリング回路からの画像信号がデータ線を介して当該画素電極に書き込まれる。すると、例えば画素電極に印加された液晶印加電圧に応じて、対応する液晶部分の配向状態が変化する。複数の走査線への走査信号の供給と、複数のデータ線へのプリチャージ信号と画像信号の供給に応じて、各画素電極には所定印加電圧が線順次、点順次の所定の順序で供給される。この結果、当該電気光学装置において複数の画素電極により規定される画像表示領域には、例えば液晶装置の場合、液晶の配向状態の変化の分布により画像信号に対応する画像が表示される。


【手続補正４】
【補正対象書類名】明細書
【補正対象項目名】００１７
【補正方法】変更
【補正の内容】
【００１７】
また、本発明の電気光学装置は、前記プリチャージ信号線は、異なる信号供給接点に夫々接続されていることを特徴とする。


【手続補正５】
【補正対象書類名】明細書
【補正対象項目名】００１８
【補正方法】変更
【補正の内容】
【００１８】
この電気光学装置によれば、基板上に別々に設けられた異なる信号供給接点には、夫々前記プリチャージ信号線の一端が接続されており、他端は前記配列方向の両側から前記プリチャージ回路に接続されている。従って、外部の信号源から夫々の信号供給接点にプリチャージ信号が供給されると、プリチャージ信号は、前記複数のデータ線の配列方向の両側から前記プリチャージ回路に接続された前記プリチャージ信号線により伝搬され、前記両側から前記プリチャージ回路に供給される。従って、画素の高精細化が図られ、データ線及び第３スイッチング手段の数が増大して、当該プリチャージ信号線に付加される配線容量が増大し、前記データ線の配列方向の一方の側から他方の側への伝搬においては信号遅延が生じ得る場合でも、前記信号供給接点を介して当該他方の側から同じ信号が供給されることになるので、全てのデータ線に信号遅延を生じさせることなくプリチャージ信号が書き込まれることになる。その結果、各データ線の電位は一様に所望の電位となり、良好に画像信号が書き込まれることになる。従って、コントラストのむらを抑えることができる。


【手続補正６】
【補正対象書類名】明細書
【補正対象項目名】００１９
【補正方法】変更
【補正の内容】
【００１９】
また、本発明の電気光学装置は、前記プリチャージ信号線は、前記データ線と同様に低抵抗な金属膜あるいは金属合金膜で、かつ前記データ線と同一工程で形成されることを特徴とする。


【手続補正７】
【補正対象書類名】明細書
【補正対象項目名】００２０
【補正方法】変更
【補正の内容】
【００２０】
この電気光学装置によれば、前記プリチャージ信号線はデータ線と同様に低抵抗な金属あるいは金属合金膜で形成されているため、プリチャージ信号線を上述したようにプリチャージ回路の両側に接続するように引き回す場合でも、工程を増やすことなく比較的容易に電気光学装置を製造することができる。


【手続補正８】
【補正対象書類名】明細書
【補正対象項目名】００２１
【補正方法】変更
【補正の内容】
【００２１】
また、本発明の電気光学装置は、前記プリチャージ回路駆動信号線は、前記複数のデータ線の配列方向の両側から前記プリチャージ回路に接続されるように前記基板に引き回されていることを特徴とする。


【手続補正９】
【補正対象書類名】明細書
【補正対象項目名】００２２
【補正方法】変更
【補正の内容】
【００２２】
この電気光学装置によれば、前記プリチャージ回路の第３スイッチング手段に対する駆動信号はプリチャージ回路駆動信号線により伝搬されることになるが、このプリチャージ回路駆動信号線は前記プリチャージ信号線とともに前記複数のデータ線の配列方向の両側から前記プリチャージ回路に接続されるように前記基板上にて引き回されている。従って、画素の高精細化が図られ、データ線及び第３スイッチング手段の数が増大して、当該プリチャージ回路駆動信号線に付加される配線容量が増大し、前記データ線の配列方向の一方の側から他方の側への伝搬においては信号遅延が生じ得る場合でも、当該他方の側から同じ信号が供給されることになるので、全てのデータ線に信号遅延を生じさせることなくプリチャージ信号が書き込まれることになる。その結果、各データ線の電位は一様に所望の電位となり、良好に画像信号が書き込まれることになる。従って、コントラストのむらを抑えることができる。


【手続補正１０】
【補正対象書類名】明細書
【補正対象項目名】００２３
【補正方法】変更
【補正の内容】
【００２３】
また、本発明の電気光学装置は、基板に画像信号が供給される複数のデータ線と、走査信号が供給される複数の走査線と、前記各データ線及び前記各走査線に対応して設けられた第１スイッチング手段と、前記第１スイッチング手段に対応して設けられた画素電極とを備えた電気光学装置であって、画像信号線に供給された前記画像信号をサンプリングして前記データ線に供給するための第２スイッチング手段を有するサンプリング回路と、前記データ線に前記画像信号を供給するためのサンプリング期間に先だってプリチャージ信号をプリチャージ回路駆動信号線に供給されたプリチャージ回路駆動信号に基づいて前記データ線に供給するための第３スイッチング手段を有するプリチャージ回路とを具備し、前記プリチャージ回路駆動信号線は、前記複数のデータ線の配列方向の両側から前記プリチャージ回路に接続されるように前記基板に引き回されていることを特徴とする。


【手続補正１１】
【補正対象書類名】明細書
【補正対象項目名】００２４
【補正方法】変更
【補正の内容】
【００２４】
この電気光学装置によれば、上述したように、画素の高精細化が図られ、データ線及び第３スイッチング手段の数が増大して、当該プリチャージ回路駆動信号線に付加される配線容量が増大し、前記データ線の配列方向の一方の側から他方の側への伝搬においては信号遅延が生じ得る場合でも、当該他方の側から同じ信号が供給されることになるので、全てのデータ線に信号遅延を抑えてプリチャージ信号が書き込まれることになる。その結果、各データ線の電位は一様に所望の電位となり、良好に画像信号が書き込まれることになる。従って、コントラストのむらを抑えることができる。


【手続補正１２】
【補正対象書類名】明細書
【補正対象項目名】００２５
【補正方法】変更
【補正の内容】
【００２５】
また、本発明の電気光学装置は、前記プリチャージ回路駆動信号線は、異なる信号供給接点に夫々接続されていることを特徴とする。


【手続補正１３】
【補正対象書類名】明細書
【補正対象項目名】００２６
【補正方法】変更
【補正の内容】
【００２６】
この電気光学装置によれば、異なる信号供給接点には、夫々前記プリチャージ回路駆動信号線の一端が接続されており、他端は前記配列方向の両側から前記プリチャージ回路に接続されている。従って、外部の信号源から夫々の信号供給接点にプリチャージ回路駆動信号が供給されると、プリチャージ回路駆動信号は、前記複数のデータ線の配列方向の両側から前記プリチャージ回路に接続された前記プリチャージ回路駆動信号線により伝搬され、前記両側から前記プリチャージ回路に供給される。従って、画素の高精細化が図られ、データ線及び第３スイッチング手段の数が増大して、当該プリチャージ回路駆動信号線に付加される配線容量が増大し、前記データ線の配列方向の一方の側から他方の側への伝搬においては信号遅延が生じ得る場合でも、前記信号供給接点を介して当該他方の側から同じ信号が供給されることになるので、全てのデータ線に信号遅延を抑えてプリチャージ回路駆動信号が書き込まれることになる。その結果、各データ線の電位は一様に所望の電位となり、良好に画像信号が書き込まれることになる。従って、コントラストのむらを抑えることができる。


【手続補正１４】
【補正対象書類名】明細書
【補正対象項目名】００２７
【補正方法】変更
【補正の内容】
【００２７】
また、本発明の電気光学装置は、前記プリチャージ回路駆動信号線は、前記データ線と同様に低抵抗な金属膜あるいは金属合金膜で、かつ前記データ線と同一工程で形成されることを特徴とする。


【手続補正１５】
【補正対象書類名】明細書
【補正対象項目名】００２８
【補正方法】変更
【補正の内容】
【００２８】
この電気光学装置によれば、前記プリチャージ回路駆動信号線はデータ線と同様に低抵抗な金属あるいは金属合金膜で形成されているため、プリチャージ回路駆動信号線を上述したようにプリチャージ回路の両側に接続するように引き回す場合でも、工程を増やすことなく比較的容易に電気光学装置を製造することができる。


【手続補正１６】
【補正対象書類名】明細書
【補正対象項目名】００２９
【補正方法】変更
【補正の内容】
【００２９】
また、本発明の電気光学装置は、前記サンプリング回路の前記第２スイッチング手段を前記データ線の配列方向または逆方向に順次駆動するための双方向シフトレジスタを有するデータ線駆動回路を更に備えたこと特徴とする。


【手続補正１７】
【補正対象書類名】明細書
【補正対象項目名】００３０
【補正方法】変更
【補正の内容】
【００３０】
この構成によれば、データ線駆動回路は、双方向シフトレジスタを有しているため、駆動信号は、データ線の配列方向に沿って一方の側から他方の側へと転送され、あるいは、当該他方の側から前記一方の側へと転送される。転送方向が何れの方向になった場合でも同じ条件で駆動信号を供給することが可能となる。従って、反転表示等が行われる場合でも、コントラストのむらを抑えることができる。


【手続補正１８】
【補正対象書類名】明細書
【補正対象項目名】００３１
【補正方法】変更
【補正の内容】
【００３１】
また、本発明の電気光学装置は、前記プリチャージ回路は、前記データ線駆動回路及びサンプリング回路と共に前記データ線の同じ側に設置され、前記プリチャージ回路駆動信号線には、前記第２スイッチング手段の導通タイミングに先行して前記第３スイッチング手段を導通させるプリチャージ回路駆動信号が供給されることを特徴とする。


【手続補正１９】
【補正対象書類名】明細書
【補正対象項目名】００３２
【補正方法】変更
【補正の内容】
【００３２】
この電気光学装置によれば、前記プリチャージ回路は、前記データ線駆動回路及びサンプリング回路と共に前記データ線の同じ側に設置されているので、例えばサンプリング回路とプリチャージ回路とを並列に接続したり、あるいはサンプリング回路とプリチャージ回路に対する駆動信号を、何れも前記データ線駆動回路から供給するように構成すれば、非画素領域の有効利用が図られ、電気光学装置の小型化を実現する。そして、このような各駆動信号を供給する回路の共通化を図った場合でも、プリチャージ信号は常に画像信号よりも先行してデータ線に書き込む必要がある。そこで、前記サンプリング回路の複数の第３スイッチング手段に対する駆動信号を伝搬するプリチャージ回路駆動信号線には、前記第２スイッチング手段の導通タイミングに先行して前記データ線の線順次に前記第３スイッチング手段を導通させるプリチャージ回路駆動信号が供給される。これにより、プリチャージ回路の第３スイッチング手段は、常にサンプリング回路の第２スイッチング手段よりも先行して導通することになり、適切にプリチャージ信号の前記データ線への書き込みが行われることになる。また、このように構成した場合には、前記データ線駆動回路の転送方向によってプリチャージ信号の書き込まれるデータ線の順序が変わることになるが、上述したように、前記プリチャージ信号は前記プリチャージ回路の両側から供給されているため、何れの転送方向でも同じ条件でデータ線に書き込まれることになる。従って、コントラストのむらを抑えることができる。


【手続補正２０】
【補正対象書類名】明細書
【補正対象項目名】００３３
【補正方法】変更
【補正の内容】
【００３３】
また、本発明の電気光学装置は、前記サンプリング回路の前記第２スイッチング手段を、前記データ線の配列方向まはた逆方向に順次駆動する双方向シフトレジスタと、前記プリチャージ回路の前記第３スイッチング手段を前記データ線の配列方向または逆方向に順次駆動する双方向シフトレジスタとを有するデータ線駆動回路を含むことを特徴とする。


【手続補正２１】
【補正対象書類名】明細書
【補正対象項目名】００３４
【補正方法】変更
【補正の内容】
【００３４】
この電気光学装置によれば、前記サンプリング回路の前記第２スイッチング手段は、前記データ線駆動回路から出力され、前記データ線の配列方向まはた逆方向に順次転送される駆動信号に基づいて、前記データ線毎、或いは複数のデータ線をグループ毎に順次に導通状態となるが、前記プリチャージ回路の前記第３スイッチング手段も、前記データ線駆動回路から出力され、前記データ線の配列方向まはた逆方向に順次転送される駆動信号に基づいて、前記データ線の線順次に導通状態とされる。従って、プリチャージ信号が書き込まれる前記データ線の順序は、前記転送方向によって変わることになるが、上述したように、前記プリチャージ信号は、前記データ線の配列方向の両側から前記プリチャージ回路に供給されているため、転送方向が何れの方向であっても、前記データ線に同じ条件で書き込まれることになる。その結果、反転表示等が行われる場合でも、確実かつ良好にプリチャージを行い、コントラストのむらを抑えることができる。


【手続補正２２】
【補正対象書類名】明細書
【補正対象項目名】００３５
【補正方法】変更
【補正の内容】
【００３５】
また、本発明の電気光学装置は、前記プリチャージ回路は、前記データ線を介して前記データ線駆動回路及びサンプリング回路の反対側に設置され、前記プリチャージ回路駆動信号線には、水平帰線期間に一括して前記第３スイッチング素子を導通させるプリチャージ回路駆動信号が供給されることを特徴とする。


【手続補正２３】
【補正対象書類名】明細書
【補正対象項目名】００３６
【補正方法】変更
【補正の内容】
【００３６】
この電気光学装置によれば、前記プリチャージ回路は、前記データ線を介して前記データ線駆動回路及びサンプリング回路の反対側に設置されているため、電気光学装置の非画素領域を有効に活用することができ、電気光学装置の小型化を実現する。しかし、このような配置では、前記データ線駆動回路からの線順次の出力信号を用いることが困難である。そこで、前記データ線の配列方向における両側から当該プリチャージ回路に接続されているプリチャージ回路駆動信号線に対し、水平帰線期間に一括して当該プリチャージ回路の全ての前記第３スイッチング手段を導通させるプリチャージ回路駆動信号を供給する。これにより、プリチャージ回路駆動信号線には全てのデータ線の配線容量が付加されることになるが、上述したように、プリチャージ回路駆動信号線は、前記プリチャージ回路の両側から接続されており、前記プリチャージ回路駆動信号は、前記第３スイッチング手段に前記両側から供給されることになる。従って、データ線の一方の側から他方の側に対しては信号遅延が生じ得る状況においても、当該他方の側から前記一方の側に対してプリチャージ信号が供給されるので、全てのデータ線にほぼ同じ条件でプリチャージ信号が書き込まれ、コントラストのむらを抑えることができる。


【手続補正２４】
【補正対象書類名】明細書
【補正対象項目名】００３７
【補正方法】変更
【補正の内容】
【００３７】
また、本発明の電気光学装置は、前記画像信号線は、前記複数のデータ線の配列方向の両側から前記サンプリング回路に接続されるように前記基板に引き回されていることを特徴とする。


【手続補正２５】
【補正対象書類名】明細書
【補正対象項目名】００３８
【補正方法】変更
【補正の内容】
【００３８】
この電気光学装置によれば、前記第２スイッチング手段が夫々導通状態となり、前記画像信号線に付加される前記複数のデータ線の配設容量が増大し、前記データ線の配列方向の一方の側から他方の側への伝搬においては信号遅延が生じ得る場合でも、当該他方の側から同じ信号が供給されることになるので、全てのデータ線において信号遅延を抑えて前記画像信号が書き込まれることになる。その結果、例えば液晶装置単体においてコントラストのむらが無くなるため、複数枚の電気光学装置を組み合わせた場合においても合成される画像に色むらを抑えることができる。


【手続補正２６】
【補正対象書類名】明細書
【補正対象項目名】００４５
【補正方法】変更
【補正の内容】
【００４５】
本発明の電子機器は前記課題を解決するために、上述の電気光学装置を備えて構成されることを特徴とする。


【手続補正２７】
【補正対象書類名】明細書
【補正対象項目名】００４６
【補正方法】変更
【補正の内容】
【００４６】
この電子機器によれば、電子機器は、上述した本願発明の電気光学装置を備えており、コントラストむらのない画像表示等が可能である。更に、複数の液晶装置を組み合わせて画像を合成するような場合でも、コントラストむらがないため、例えばカラーの光源を用いた場合に色むらを抑えて、良好な表示を行うことができる。従って、高精細で、高品位の画像表示が行える。